(57)【要約】【課題】ジグソーパズルとは異なる趣で、狭い場所でも初級から上級まで遊べる重ね合わせパズルを提供する。【解決手段】各々異なる部分模様が描かれた同形同大の複数枚の透明板Ａ〜Ｄを、重ね合わせて厚さ方向に透視することにより、一つの模様を完成するものにおいて、各透明板が、正方形又は正三角形のマス目１からなる格子状に仕切られたマス目領域２を有し、各部分模様が、前記領域内で不透明色で塗りつぶされた一つ又は二つ以上のマス目からなることを特徴とする。【選択図】図１
2013252334.tif 000002
【特許請求の範囲】
【請求項１】
各々異なる部分模様が描かれた同形同大の複数枚の透明板を、重ね合わせて厚さ方向に透視することにより、一つの模様を完成するものにおいて、
各透明板が、正方形又は正三角形のマス目からなる格子状に仕切られたマス目領域を有し、各部分模様が、前記領域内で不透明色で塗りつぶされた一つ又は二つ以上のマス目からなることを特徴とする重ね合わせパズル。
【請求項２】
各透明板が、各部分模様の色とは異なる第二の不透明色で塗りつぶされたマス目からなるダミー模様を有する請求項１に記載の重ね合わせパズル。
【請求項３】
請求項１又は２に記載の重ね合わせパズルを保持するものにおいて、
前記模様が完成し且つ模様を露出させた状態で前記透明板の全てを保持する保持部と、保持部に取り付けられたストラップ部とを備えることを特徴とするパズルホルダー。
【発明の詳細な説明】
【技術分野】
【０００１】
この発明は、各々異なる部分模様が描かれた複数枚の透明板を、重ね合わせて厚さ方向に透視することにより、一つの模様を完成する重ね合わせパズルに関する。
【背景技術】
【０００２】
この種のパズルとして、例えば特許文献１〜４のものが提案されている。
特許文献１には、一つの回転軸に複数の透明シートを別個に回転可能に重ね、各シートに回転軸から等距離位置に回転軸を囲むように重ね透視用図形を描いたパズルが開示されている。
特許文献２には、格子状に仕切られた被覆層を設けた透明シートを台紙の上で複数枚重ね合わせ、台紙上における透明シートの周囲に記載された数字及び記号に従う位置の被覆層を剥がして透視することにより、一つの絵柄を完成するようにしたパズルが開示されている。
特許文献３には、透明材からなる正方形の多数の基本ブロックの主面を中心線及び対角線で等分割して多数のマスを形成し、互いに異なる位置のマスが塗りつぶされた基本ブロックを重ね合わせることにより、一つの絵柄を完成するようにしたパズルが開示されている。
特許文献４には、透明板からなり、互いに異なる部分絵柄以外の背景が不透明色で描かれた正方形の多数のピースを、隣り合う部分絵柄が面方向に連続するように並べることにより、一つの絵柄を完成するようにしたパズルが開示されている。このパズルは、更に上層ピースの群と下層ピースの群とに分けられ、下層ピースには部分絵柄だけでなくダミー絵柄も透明となるように背景が描かれており、上層ピースと重ねることにより、ダミー絵柄が隠れる仕組みになっている。
【先行技術文献】
【特許文献】
【０００３】
【特許文献１】登録実用新案第３００６３７０号公報
【特許文献２】特開平９−１８７５４８号公報
【特許文献３】特開平９−２９４８７１号公報
【特許文献４】特開２０１１−４１５８９号公報
【発明の概要】
【発明が解決しようとする課題】
【０００４】
しかし、特許文献１に記載のパズルは、各シートの回転量に応じて異なる透視図形が現れるようにし、現れる図形の意外性を楽しむだけである。特許文献２に記載のパズルも台紙に記載された数字及び記号に従って被覆層を剥がせば自ずと所定の絵柄が完成される。特許文献３に記載のパズルは、基本ブロックを回転させられないルールの故に、回転させて重ねる組み合わせが当初から除かれてしまう。従って、いずれもあまり高度な知的能力を要しない。また、特許文献４に記載のパズルは、多数のピースを隣り合う部分絵柄が面方向に連続するように並べる点で、思考経路がジグソーパズルと変わらないし、ジグソーパズルと同様に広い面積を要し、狭い場所では遊べない。
それ故、この発明の課題は、ジグソーパズルとは異なる趣で、狭い場所でも初級から上級まで遊べる重ね合わせパズルを提供することにある。
【課題を解決するための手段】
【０００５】
その課題を解決するために、この発明の重ね合わせパズルは、
各々異なる部分模様が描かれた同形同大の複数枚の透明板を、重ね合わせて厚さ方向に透視することにより、一つの模様を完成するものにおいて、
各透明板が、正方形又は正三角形のマス目からなる格子状に仕切られたマス目領域を有し、各部分模様が、前記領域内で不透明色で塗りつぶされた一つ又は二つ以上のマス目からなることを特徴とする。
【０００６】
この重ね合わせパズルによれば、マス目が正方形又は正三角形のマス目からなるので、模様の完成に向けて透明板を９０度又は６０度間隔で種々の方向に回転させて重ね合わせる楽しみを生じさせる。そして、透明板の枚数が多いほど難易度が上がる。しかも重ね合わせることにより、完成するので、使用中に平面積が拡大することはなく、狭い場所でも使用することができる。
各透明板は、各部分模様の色とは異なる第二の不透明色で塗りつぶされたマス目からなるダミー模様を有すると好ましい。ダミー模様を有することにより、透明板を重ね合わせる順序を間違えると、部分模様がダミー模様で隠れてしまって模様が完成せず、更に難易度が上がって面白さが増すからである。また、部分模様及びダミー模様を各透明板の一方の主面（オモテ面）に描き、反対側の面（ウラ面）に別の部分模様及びダミー模様の組み合わせを描くことにより、一組の透明板で二倍の模様を楽しむことができるからでもある。
【０００７】
この重ね合わせパズルを保持するために適切なパズルホルダーは、
前記模様が完成し且つ模様を露出させた状態で前記透明板の全てを保持する保持部と、保持部に取り付けられたストラップ部とを備えることを特徴とする。
このようなパズルホルダーであれば、前記模様が飾りとなり、携帯用通信端末やカメラなどのストラップとして装着することができるからである。
【発明の効果】
【０００８】
以上のように、この発明の重ね合わせパズルによれば、透明板を種々の方向に回転させながら模様の完成に向けて重ね合わせの試行錯誤を繰り返すところに面白さがあるので、狭い場所でも楽しむことができる。
【図面の簡単な説明】
【０００９】
【図１】第一の実施形態に用いる透明板のマス目領域を示す平面図である。
【図２】第一の実施形態に用いる透明板Ａを示し、（表）がその平面図、（裏）がその底面図である。
【図３】第一の実施形態に用いる透明板Ｂを示し、（表）がその平面図、（裏）がその底面図である。
【図４】第一の実施形態に用いる透明板Ｃを示し、（表）がその平面図、（裏）がその底面図である。
【図５】第一の実施形態に用いる透明板Ｄを示し、（表）がその平面図、（裏）がその底面図である。
【図６】透明板Ａ、Ｂ、Ｃ、Ｄを正しく重ね合わせた状態を示す平面図である。
【図７】透明板Ａの向きを間違って重ね合わせた状態を示す平面図である。
【図８】透明板Ａ、Ｂの順位を間違って重ね合わせた状態を示す平面図である。
【図９】第二の実施形態に用いる透明板ａを示し、（表）がその平面図、（裏）がその底面図である。
【図１０】第二の実施形態に用いる透明板ｂを示し、（表）がその平面図、（裏）がその底面図である。
【図１１】第二の実施形態に用いる透明板ｃを示し、（表）がその平面図、（裏）がその底面図である。
【図１２】第二の実施形態に用いる透明板ｄを示し、（表）がその平面図、（裏）がその底面図である。
【図１３】第二の実施形態に用いる透明板ｅを示し、（表）がその平面図、（裏）がその底面図である。
【図１４】第二の実施形態に用いる透明板ｆを示し、（表）がその平面図、（裏）がその底面図である。
【図１５】透明板ａ、ｂ、ｃ、ｄ、ｅ、ｆを正しく重ね合わせた状態を示す平面図である。
【図１６】透明板ａの向きを間違って重ね合わせた状態を示す平面図である。
【図１７】透明板ａ、ｂの順位を間違って重ね合わせた状態を示す平面図である。
【図１８】パズルホルダーを重ね合わせパズルとともに示す斜視図である。
【図１９】重ね合わせパズルをパズルホルダーに収納した状態を示す斜視図である。
【図２０】第四の実施形態に用いる透明板のマス目領域を示す平面図である。
【発明を実施するための形態】
【００１０】
−実施形態１−
以下、この発明を実施形態に基づいて図面とともに具体的に説明する。
第一の実施形態に係る重ね合わせパズルは、各々異なる部分模様が描かれた同じ大きさの正方形の４枚の透明板Ａ、Ｂ、Ｃ、Ｄを、重ね合わせて厚さ方向に透視することにより、一つの模様を完成するものである。
【００１１】
各透明板は、図１に示すように４５個の正方形のマス目１からなる格子状に仕切られたマス目領域２を有する。マス目領域２は、７行７列の碁盤目の四隅のマス目を消した形状をなしている。
そして、各透明板には、図２〜５に示すように、所定のマス目の表面を黒色で塗りつぶすことにより部分模様が描かれている。また、別の所定のマス目の表面を白色（図中では×印で示す。）で塗りつぶすことによりダミー模様が描かれている。更に、各部分模様及びダミー模様を構成するマス目の裏面を、表面と同一の色、又は黒色・白色のうち表面と異なる色で塗りつぶすことにより、表面側と異なる部分模様及びダミー模様の組み合わせが描かれている。
【００１２】
部分模様及びダミー模様が描かれていない位置のマス目は、描かれていても良いし、描かれていなくても良い。この実施形態では難易度を上げるために、描かれていない。
各透明板には、表裏の区別がつくような印、例えば表面側の四隅に○、裏面側の四隅に×の刻印が形成されていてもよいが、この実施形態では難易度を上げるために、表裏の印は付けられていない。
【００１３】
透明板Ａ、Ｂ、Ｃ、Ｄを向きを変えることなく表裏反転させることもなく、この順序で重ね合わせると、図６に示すように目と口を有するバランスの取れた顔模様が完成する。
一方、４枚の透明板のうち１枚でも向きを変えると、例えば透明板Ａを９０度時計方向に回転させると、正しい順序で重ね合わせても図７に示すように不正解の模様となる。また、１枚でも順位が変わると、例えば透明板Ａを透明板ＢとＣの間に入れると、向きが正しくても図８に示すように不正解の模様となる。同様に、向きや順序が正しくても一枚でも表裏反転させると不正解の模様となる。
この実施形態では、各部分模様の面積を等しくしている。即ち、黒色で塗りつぶすマス目の数を各透明板間で等しく４つにしているが、異ならせても良い。
また、パズル挑戦者のレベルに合わせてヒントが得られるように、正しい向きのみ、又は正しい順序のみ書いたヒントカードなどを用意しても良い。
【００１４】
−実施形態２−
第二の実施形態に係る重ね合わせパズルは、図９〜１４に示す６枚の透明板ａ、ｂ、ｃ、ｄ、ｅ、ｆからなる。向きを変えることなく、この順序で透明板を重ね合わせると、図１５に示すように目と口とえくぼを有するバランスの取れた顔模様が完成する。
一方、透明板ａを９０度時計方向に回転させると、図１６に示すように不正解の模様となるし、透明板ａを透明板ｂと入れ替えると図１７に示すように不正解の模様となる。
【００１５】
−実施形態３−
第三の実施形態は、第一の実施形態の重ね合わせパズルをパズルホルダーに収納したものである。パズルホルダー３は、図１８に示すように、コの字の第一フレーム３１、第一フレーム３１の一端に回転可能に取り付けられて第一フレーム３１を開閉する第二フレーム３２、及び第一フレーム３１の一角に取り付けられた鎖３３からなる。第一フレーム３１及び第二フレーム３２の内周面には、重ね合わされた４枚の透明板の周縁を受け入れる溝３４が形成されている。
【００１６】
パズルホルダー３を使用するときは、模様が完成した状態の透明板Ａ、Ｂ、Ｃ、Ｄを溝３４に沿って第一フレーム３１に挿入し、第二フレーム３２の自由端を第一フレーム３１の他端に連結することにより、第一フレーム３１を閉じる（図１９参照）。これにて第一フレーム３１及び第二フレーム３２は重ね合わせパズルを保持する保持部、鎖３３はストラップ部として機能する。従って、パズルホルダー３は、重ね合わせパズルの模様が飾りとなり、携帯用通信端末やカメラなどのストラップとして装着することができる。
尚、ここでは、第二フレーム３２を、回転によって第一フレーム３１を開閉する揺動式としたが、スライド式としてもよい。
【００１７】
−実施形態４−
第四の実施形態は、各透明板が、図２０に示すように正三角形のマス目４からなる格子状に仕切られたマス目領域５を有する。各透明板の部分模様、及び完成模様についての考え方は第一の実施形態と同じであるので説明を省略する。第一の実施形態では透明板の正しい向きが当たる確率は１／４であったが、第四の実施形態では１／６となり、マス目の数や透明板の数が同じであれば第一の実施形態よりも難易度が上がる。
【符号の説明】
【００１８】
１、４  マス目
２、５  マス目領域
３  パズルホルダー
Ａ〜Ｄ  透明板
ａ〜ｆ  透明板
【図１】
2013252334.tif 000003
【図２】
2013252334.tif 000004
【図３】
2013252334.tif 000005
【図４】
2013252334.tif 000006
【図５】
2013252334.tif 000007
【図６】
2013252334.tif 000008
【図７】
2013252334.tif 000009
【図８】
2013252334.tif 000010
【図９】
2013252334.tif 000011
【図１０】
2013252334.tif 000012
【図１１】
2013252334.tif 000013
【図１２】
2013252334.tif 000014
【図１３】
2013252334.tif 000015
【図１４】
2013252334.tif 000016
【図１５】
2013252334.tif 000017
【図１６】
2013252334.tif 000018
【図１７】
2013252334.tif 000019
【図１８】
2013252334.tif 000020
【図１９】
2013252334.tif 000021
【図２０】
2013252334.tif 000022